(57)【要約】【課題】制御信号と、電気機器間で通信されるデータ信号とを、同一の通信線を用いて受信することができる機器システムを提供する。【解決手段】本発明の給湯システム１は、ヒートポンプ機器100及びタンク機器200と、通信線20と、上記機器それぞれに設けられており、通信線20を通して通信するための通信部120,220及びこの通信部120,220を制御する制御部110,210とを備え、通信部120は、待機状態にある制御部110を動作状態へ移行させる制御信号及び制御部110に入力されて処理されるデータ信号を、同一の通信線20を通して受信する受信部129と、受信部129が受信した信号を入力し、入力した信号の積分値を制御部110へ出力する積分回路170とを有し、積分回路170は、制御信号が入力された時に、待機状態にある制御部110を動作状態へ移行させる起動信号を発生する。【選択図】図３
2009296166.tif 000002
【特許請求の範囲】
【請求項１】
複数の電気機器（１００，２００）と、
通信線（２０）と、
前記複数の電気機器（１００，２００）の個々に設けられており、前記通信線（２０）を通して通信するための複数の通信部（１２０，２２０）及びこの通信部（１２０，２２０）を制御する制御部（１１０，２１０）と、
を備え、
前記複数の通信部の中の少なくとも一つ（１２０）は、
待機状態にある前記制御部（１１０）を動作状態へ移行させる制御信号、及び前記制御部（１１０）に入力されて処理されるデータ信号を、同一の前記通信線（２０）を通して受信する受信部（１２９）と、
前記受信部（１２９）が受信した信号を入力し、入力した信号の積分値を、前記制御部（１１０）へ出力する積分回路（１７０）と、
を有し、
前記積分回路（１７０）は、前記制御信号が入力された時に、待機状態にある前記制御部（１１０）を動作状態へ移行させる起動信号を発生する、
ことを特徴とする機器システム。
【請求項２】
前記受信部（１２９）と前記積分回路（１７０）との間に配置され、前記受信部（１２９）が受信した信号を入力し、入力した信号の極性を反転した信号を前記積分回路（１７０）に出力する第１の反転部（１７０ｃ）と、
前記積分回路（１７０）と前記制御部（１１０）との間に配置され、前記積分回路（１７０）が出力した信号を入力し、入力した信号の極性を反転した信号を前記制御部（１１０）に出力する第２の反転部（１７０ｃ）と、
を有する請求項１に記載の機器システム。
【請求項３】
前記受信部（１２９）と前記積分回路（１７０）との間に配置され、前記受信部（１２９）が受信した信号を入力し、入力した信号の極性を反転した信号を前記積分回路（１７０）に出力する反転部（１７０ｃ）と、
前記積分回路（１７０）と前記制御部（１１０）との間に配置され、前記積分回路（１７０）が出力した信号を入力し、入力した信号の値と所定の基準値とを比較した結果を、出力信号として前記制御部（１１０）に出力する比較器（１７０ｇ）と、
を有する請求項１に記載の機器システム。
【請求項４】
前記比較器（１７０ｇ）は、ヒステリシスを有する請求項３に記載の受信装置。
【請求項５】
前記積分回路（１７０）が直列ＲＣ回路を有している請求項１から４の何れか一項に記載の受信装置。
【請求項６】
前記制御信号はパルス信号であり、
前記直列ＲＣ回路の時定数が、前記制御信号のパルス幅よりも小さい請求項５に記載の受信装置。
【請求項７】
前記データ信号はパルス信号であり、前記データ信号のパルス幅は、前記制御信号のパルス幅よりも小さく、
前記受信部（１２９）は、前記制御信号を受信した後に、前記データ信号を受信する請求項６に記載の機器システム。
【請求項８】
前記複数の電気機器（１００，２００）として、給湯用の温水を生成するヒートポンプ機器と、前記ヒートポンプ機器が生成した温水を貯湯するタンク機器とを備えている請求項１から７の何れか一項に記載の機器システム。
【請求項９】
制御部（１１０）と、
待機状態にある前記制御部（１１０）を動作状態へ移行させる制御信号、及び前記制御部（１１０）に入力されて処理されるデータ信号を、同一の通信線を通して受信する受信部（１２９）と、
前記受信部（１２９）と前記制御部（１１０）との間に配置され、前記受信部（１２９）が受信した信号を入力し、入力した信号の積分値を、前記制御部（１１０）へ出力する積分回路（１７０）と、
を有し、
前記積分回路（１７０）は、前記制御信号が入力された時に、待機状態にある前記制御部（１１０）を動作状態へ移行させる起動信号を発生する、
ことを特徴とする受信装置。
【請求項１０】
通信線（２０）と、
前記通信線（２０）を通して通信するための複数の通信部（１２０，２２０）及びこの通信部（１２０，２２０）を制御する制御部（１１０，２１０）と、
を備え、
前記複数の通信部の中の少なくとも一つ（１２０）は、
待機状態にある前記制御部（１１０）を動作状態へ移行させる制御信号、及び前記制御部（１１０）に入力されて処理されるデータ信号を、同一の前記通信線（２０）を通して受信する受信部（１２９）と、
前記受信部（１２９）が受信した信号を入力し、入力した信号の積分値を、前記制御部（１１０）へ出力する積分回路（１７０）と、
を有し、
前記積分回路（１７０）は、前記制御信号が入力された時に、待機状態にある前記制御部（１１０）を動作状態へ移行させる起動信号を発生する、
ことを特徴とする通信システム。
【発明の詳細な説明】
【技術分野】
【０００１】
本発明は、受信装置、そのような受信装置を用いた通信システム、及びそのような受信装置を用いた機器システムに関する。
【背景技術】
【０００２】
従来、複数の電気機器を備えた機器システムでは、協働して動作する複数の電気機器間で双方向通信が行なわれている。
【０００３】
例えば、特許文献１には、給湯システムを構成するヒートポンプ機器とタンク機器との間で行なわれる双方向通信装置が提案されている。図１に、特許文献１に記載の給湯システムで用いられている通信装置の概要を示す。
【０００４】
図１に示すように、給湯システム１０００は、給湯用の温水を生成するヒートポンプ機器７００、及びヒートポンプ機器７００が生成した温水を貯湯するタンク機器８００を有している。ヒートポンプ機器７００及びタンク機器８００には、電力線７０，７１により交流電力が供給されている。
【０００５】
ヒートポンプ機器７００は、制御部７１０及びこの制御部７１０により制御される通信部７２０を有している。通信部７２０は、送信フォトカプラ７２１、受信フォトカプラ７２２、及び送信フォトカプラ７２１に電力を供給する通信電源部７４０を有している。
【０００６】
タンク機器８００も同様に、制御部８１０及びこの制御部８１０により制御される通信部８２０を有している。通信部８２０は、送信フォトカプラ８２１、受信フォトカプラ８２２、及び送信フォトカプラ８２１に電力を供給する通信電源部８４０を有している。
【０００７】
給湯システム１０００では、ヒートポンプ機器７００は、タンク機器８００から送信があった場合にいつでも受信できる状態にしておくために、制御部７１０が常に動作状態にあるので、通信を行なっていない状態でも電力が消費されるという問題があった。この問題は、タンク機器８００についても、同様である。
【０００８】
ヒートポンプ機器７００の制御部７１０における電力の消費を低減する第１の手法として、例えば、通信を行なっていない時には、制御部７１０を待機状態にしておく手法がある。待機状態にある制御部７１０は、一部の機能しか動作していないので、電力の消費量が低減できる。
【０００９】
しかし、この場合には、給湯システム１０００では、タンク機器８００がヒートポンプ機器７００へ送信を行なう前に、ヒートポンプ機器７００の制御部７１０を待機状態から動作状態に移行させる必要がある。そのため、給湯システム１０００は、タンク機器８００からヒートポンプ機器７００への送信を行なう前に、制御部７１０を待機状態から動作状態へ移行させる必要があり、タンク機器８００からヒートポンプ機器７００に対して起動信号を送信するための信号伝達手段を含む起動手段が新たに必要となる。このことは、給湯システム１０００の装置構成を複雑にし、製造コストの増加を招くという問題を生じる。
【００１０】
また、制御部７１０を待機状態から動作状態に移行させる第２の手法としては、制御部７１０を、待機状態への移行後、所定の時間が経過し後に、自動的に動作状態に復帰するように構成する手法がある。この手法を用いれば、給湯システム１０００は、新たな上記起動手段を必要としない。
【００１１】
しかし、この第２の手法では、タンク機器８００は、待機状態にある制御部７１０が動作状態に復帰するまで、ヒートポンプ機器７００への送信を待たなければならなくなる。そのため、タンク機器８００からヒートポンプ機器７００への送信に遅れが生じてしまうという問題が生じる。
【００１２】
【特許文献１】特許３８５５９２７号明細書
【発明の開示】
【発明が解決しようとする課題】
【００１３】
本発明は、上述した課題を解決するために、受信装置、そのような受信装置を用いた通信システム、及びそのような受信装置を用いた機器システムを提供することを目的とする。
【００１４】
また、本発明は、電気機器の有する制御部を待機状態から動作状態に移行させる制御信号と、電気機器間で通信されるデータ信号とを、同一の通信線を用いて受信することができる受信装置、そのような受信装置を用いた通信システム、及びそのような受信装置を用いた機器システムを提供することを目的とする。
【００１５】
更に、本発明は、消費電力を低減する受信装置、そのような受信装置を用いた通信システム、及びそのような受信装置を用いた機器システムを提供することを目的とする。
【課題を解決するための手段】
【００１６】
上述した課題を解決するために、本発明に係る機器システムは、複数の電気機器（１００，２００）と、通信線（２０）と、上記複数の電気機器（１００，２００）の個々に設けられており、上記通信線（２０）を通して通信するための複数の通信部（１２０，２２０）及びこの通信部（１２０，２２０）を制御する制御部（１１０，２１０）と、を備え、上記複数の通信部の中の少なくとも一つ（１２０）は、待機状態にある上記制御部（１１０）を動作状態へ移行させる制御信号、及び上記制御部（１１０）に入力されて処理されるデータ信号を、同一の上記通信線（２０）を通して受信する受信部（１２９）と、上記受信部（１２９）が受信した信号を入力し、入力した信号の積分値を、上記制御部（１１０）へ出力する積分回路（１７０）と、を有し、上記積分回路（１７０）は、上記制御信号が入力された時に、待機状態にある上記制御部（１１０）を動作状態へ移行させる起動信号を発生する、ことを特徴とする。
【００１７】
これにより、電気機器が有する制御部を待機状態から動作状態に移行させる制御信号と、電気機器間で通信されるデータ信号とを、同一の通信線を用いて通信することができる。また、制御部を待機状態にしておくことで、機器システムの消費電力を低減できる。
【００１８】
また、本発明に係る機器システムは、上記受信部（１２９）と上記積分回路（１７０）との間に配置され、上記受信部（１２９）が受信した信号を入力し、入力した信号の極性を反転した信号を上記積分回路（１７０）に出力する第１の反転部（１７０ｃ）と、上記積分回路（１７０）と上記制御部（１１０）との間に配置され、上記積分回路（１７０）が出力した信号を入力し、入力した信号の極性を反転した信号を上記制御部（１１０）に出力する第２の反転部（１７０ｃ）と、を有することが好ましい。
【００１９】
これにより、制御信号とデータ信号とを区別して、制御信号のみを制御部に入力することができる。
【００２０】
また、本発明に係る機器システムは、上記受信部（１２９）と上記積分回路（１７０）との間に配置され、上記受信部（１２９）が受信した信号を入力し、入力した信号の極性を反転した信号を上記積分回路（１７０）に出力する反転部（１７０ｃ）と、上記積分回路（１７０）と上記制御部（１１０）との間に配置され、上記積分回路（１７０）が出力した信号を入力し、入力した信号の値と所定の基準値とを比較した結果を、出力信号として上記制御部（１１０）に出力する比較器（１７０ｇ）と、を有することが好ましい。また、この本発明に係る機器システムは、上記比較器（１７０ｇ）が、ヒステリシスを有する機器システムに適用されることが好ましい。
【００２１】
これにより、制御信号とデータ信号とを区別して、制御信号のみを、信号の遅延を少なくして制御部に入力することができる。また、制御信号へのハンチングの影響を除去することができる。
【００２２】
また、本発明に係る機器システムは、上記積分回路（１７０）が直列ＲＣ回路を有していることが好ましい。
【００２３】
これにより、抵抗値又は静電容量を適宜設定して時定数を調節することにより、制御信号とデータ信号とを確実に区別することができる。
【００２４】
また、本発明に係る機器システムは、上記制御信号はパルス信号であり、上記直列ＲＣ回路の時定数が、上記制御信号のパルス幅よりも小さいことが好ましい。
【００２５】
これにより、積分回路は制御信号を減衰することなく通過させることができる。
【００２６】
また、本発明に係る機器システムは、上記データ信号がパルス信号であり、上記データ信号のパルス幅は、上記制御信号のパルス幅よりも小さく、上記受信部（１２９）は、上記制御信号を受信した後に、上記データ信号を受信することが好ましい。
【００２７】
これにより、制御部を動作状態にした状態で、データ信号の受信が行なえる。
【００２８】
また、この本発明に係る機器システムは、上記複数の電気機器（１００，２００）として、給湯用の温水を生成するヒートポンプ機器と、上記ヒートポンプ機器が生成した温水を貯湯するタンク機器とを備えている機器システムに適用されることが好ましい。
【００２９】
これにより、消費電力を低減した給湯システムを構成できる。
【００３０】
また、上述した課題を解決するために、本発明に係る受信装置は、制御部（１１０）と、待機状態にある上記制御部（１１０）を動作状態へ移行させる制御信号、及び上記制御部（１１０）に入力されて処理されるデータ信号を、同一の通信線を通して受信する受信部（１２９）と、上記受信部（１２９）と上記制御部（１１０）との間に配置され、上記受信部（１２９）が受信した信号を入力し、入力した信号の積分値を、上記制御部（１１０）へ出力する積分回路（１７０）と、を有し、上記積分回路（１７０）は、上記制御信号が入力された時に、待機状態にある上記制御部（１１０）を動作状態へ移行させる起動信号を発生する、ことを特徴とする。
【００３１】
これにより、受信装置が有する制御部を待機状態から動作状態に移行させる制御信号とデータ信号とを、同一の通信線を用いて受信することができる。また、制御部を待機状態にしておくことで、受信装置の消費電力を低減できる。
【００３２】
更に、上述した課題を解決するために、本発明に係る通信システムは、通信線（２０）と、上記通信線（２０）を通して通信するための複数の通信部（１２０，２２０）及びこの通信部（１２０，２２０）を制御する制御部（１１０，２１０）と、を備え、上記複数の通信部の中の少なくとも一つ（１２０）は、待機状態にある上記制御部（１１０）を動作状態へ移行させる制御信号、及び上記制御部（１１０）に入力されて処理されるデータ信号を、同一の上記通信線（２０）を通して受信する受信部（１２９）と、上記受信部（１２９）が受信した信号を入力し、入力した信号の積分値を、上記制御部（１１０）へ出力する積分回路（１７０）と、を有し、上記積分回路（１７０）は、上記制御信号が入力された時に、待機状態にある上記制御部（１１０）を動作状態へ移行させる起動信号を発生する、ことを特徴とする。
【００３３】
これにより、通信システムが有する制御部を待機状態から動作状態に移行させる制御信号と、通信部間で通信されるデータ信号とを、同一の通信線を用いて通信することができる。また、制御部を待機状態にしておくことで、通信システムの消費電力を低減できる。
【００３４】
なお、上記各構成要素に付した括弧内の符号は、後述する実施形態に記載の具体的構成要素との対応関係を示す一例である。
【発明を実施するための最良の形態】
【００３５】
以下、本発明に係る機器システムとしての給湯システムの好ましい実施形態を、図面を参照して説明する。但し、本発明の技術範囲はそれらの実施形態に限定されず、特許請求の範囲に記載された発明とその均等物に及ぶ点に留意されたい。
【００３６】
図２は、本発明に係る給湯システムの第１実施形態のシステム構成図である。図３は、図２の通信部を説明する図である。
【００３７】
本実施形態の給湯システム１は、図２に示すように、電気機器として、給湯用の温水を生成するヒートポンプ機器１００と、ヒートポンプ機器１００が生成した温水を貯湯するタンク機器２００とを備えている。
【００３８】
ヒートポンプ機器１００は、図２に示すように、タンク機器２００との間で通信を行なう通信部１２０と、ヒートポンプ機器１００内に直流定電圧の電力を供給する機器電源部１５０と、冷凍サイクルを有するヒートポンプ部１６０と、上記各部を制御する制御部１１０と、を有している。
【００３９】
ヒートポンプ機器１００の制御部１１０は、待機状態及び動作状態を有している。
【００４０】
制御部１１０の待機状態は、制御部１１０が通信部１２０を含むヒートポンプ機器１００の各部の動作を制御していない場合に、動作状態の一部の機能のみが動作している状態であり、電力の消費が低減された状態にある。待機状態にある制御部１１０は、待機状態から動作状態へ移行させる制御信号を入力することにより、動作状態へ移行する。
【００４１】
制御部１１０の動作状態は、制御部１１０が、ヒートポンプ機器１００の各部の何れの動作をも制御できる状態であり、待機状態よりも消費する電力が多い。
【００４２】
本実施形態では、制御部１１０が、中央演算装置（ＣＰＵ）と、リードオンリーメモリ（ＲＯＭ）又はランダムアクセスメモリ（ＲＡＭ）等の半導体メモリ等を用いて構成されている。
【００４３】
この場合、制御部１１０の待機状態としては、ＣＰＵの動作クロックを停止した状態で、ＣＰＵ以外の動作は機能している状態が挙げられる。待機状態にある制御部１１０は、外部からの入力信号は受け付けるものの、割り込み入力などがない限り、外部との間の信号の入出力処理及び演算処理を実施しない（ＣＰＵがプログラムを実行しない）状態である。
【００４４】
一方、制御部１１０の動作状態は、ＣＰＵが動作しており、制御部１１０の全機能が動作可能な状態である。動作状態にある制御部１１０は、外部との間の信号の入出力処理、又は演算処理等の通常の処理を実施する。
【００４５】
タンク機器２００は、図２に示すように、ヒートポンプ機器１００との間で通信を行なう通信部２２０と、タンク機器２００内に直流定電圧の電力を供給する機器電源部２５０と、温水を貯蔵するタンクを有するタンク部２６０と、上記各部を制御する制御部２１０と、を有している。
【００４６】
ヒートポンプ機器１００のヒートポンプ部１６０は、図示しないが、電動圧縮機と、この電動圧縮機により圧縮された高圧冷媒と温水とを熱交換して温水を加熱する熱交換器と、この熱交換器を通過した放熱後の高圧冷媒を減圧する減圧器と、この減圧器により減圧された冷媒を大気の熱で蒸発させる蒸発器等から構成される冷媒サイクルを有している。ヒートポンプ機器１００は、加熱された温水を、図示しないパイプを用いて、タンク機器２００に供給する。
【００４７】
タンク機器２００のタンク部２６０は、図示しないが、ヒートポンプ機器１００により加熱された温水を貯蔵するタンクを有している。タンク機器２００は、タンクに貯蔵された温水を、風呂桶等に出湯する。タンク機器２００は、タンクの下側の出口から温度の低い温水を、図示しないパイプを用いてヒートポンプ機器１００に供給し、ヒートポンプ機器１００で加熱された温水を再びタンク内に貯蔵する。ヒートポンプ機器１００は、タンク機器２００のタンク内の温水が所定の温度に維持されるように、冷媒サイクルを稼動させる。また、タンク機器２００には、水道の給水栓から、水道水が給水される。
【００４８】
また、給湯システム１は、ヒートポンプ機器１００及びタンク機器２００に交流電力を供給する２本の電力線１０，１１と、電力線１０，１１に並列に配設され、且つヒートポンプ機器１００及びタンク機器２００間の双方向通信に用いられる通信線２０と、を備えている。通信部１２０、２２０は、ヒートポンプ機器１００及びタンク機器２００それぞれに設けられており、通信線２０を通して双方向通信を行なう。
【００４９】
ヒートポンプ機器１００及びタンク機器２００は、２本の電力線１０，１１に並列に接続されている。また、ヒートポンプ機器１００及びタンク機器２００は、通信線２０に並列に接続されている。
【００５０】
ヒートポンプ機器１００の制御部１１０は、通信部１４０からデータ信号を、同一の通信線２０を通して、タンク機器２００の通信部２４０に送信する。データ信号としては、例えば、タンク機器１００に供給する温水の温度、圧力値等のデータが挙げられる。
【００５１】
そして、タンク機器２００の受信部２２９は、ヒートポンプ機器１００から送信され、制御部２１０に入力されて処理されるデータ信号を、通信線２０を通して受信する。
【００５２】
また、タンク機器２００の制御部２１０は、通信部２４０から制御信号又はデータ信号を、同一の通信線２０を通して、ヒートポンプ機器１００の通信部１４０に送信する。この制御信号は、待機状態にある制御部１１０を動作状態へ移行させる信号である。この制御信号は、制御部１１０のＣＰＵに対する割り込み信号である。また、データ信号としては、例えば、タンク内の温水の温度及び目標温水温度等のデータが挙げられる。
【００５３】
そして、ヒートポンプ機器１００の受信部１２９は、タンク機器２００から送信される、制御部１１０を制御する制御信号、及び制御部１１０に入力されて処理されるデータ信号を、同一の通信線２０を通して受信する。
【００５４】
次に、ヒートポンプ機器１００の通信部１２０について以下に説明する。
【００５５】
通信部１２０はデジタル回路であり、制御信号及びデータ信号としてパルス信号を用いている。
【００５６】
通信部１２０は、積分回路１７０、第１の反転部１７０ｃ、抵抗素子１７０ｄ、第２の反転部１７０ｅ、通信電源部１４０、抵抗素子１２２、抵抗素子１２３、送信部１２４、ダイオード１２５、ダイオード１２６、抵抗素子１２７、抵抗素子１２８、及び受信部１２９を有している。
【００５７】
積分回路１７０は、受信部１２９が受信した信号を入力し、入力した信号の積分値を、制御部１１０へ出力する。積分回路１７０は、信号に含まれるノイズの影響を除去し、制御信号を誤検知することを防止する。
【００５８】
積分回路１７０としては、パッシブフィルタ又はアクティブフィルタを用いることができる。パッシブフィルタとしては、例えば、直列ＲＣ回路又はＬＣ回路を用いることができる。また、アクティブフィルタとしては、例えば、オペアンプを用いて構成することができる。アクティブフィルタのフィルタ特性としては、バタワース特性、チェビシェフ特性等が挙げられる。このアクティブフィルタを用いることは、信号波形を減衰させにくく、且つノイズを減衰させやすい点から好ましい。
【００５９】
本実施形態の通信部１２０では、図３及び図４に示すように、積分回路１７０が、直列ＲＣ回路を有している。積分回路１７０は、抵抗素子１７０ａとコンデンサ１７０ｂとが直列に接続されて構成されている。
【００６０】
コンデンサ１７０ｂには、抵抗素子１７０ａを通して信号電流が流れ込み電荷が蓄積される。コンデンサ１７０ｂは、蓄積される電荷の増加に伴って、コンデンサ１７０ｂの端子間の電圧が増加していく。この電圧値が、積分回路１７０に印加されている電圧Ｖの大きさに対して、Ｖ×（１−１／ｅ）の値まで増加するのに要する時間を示す時定数は、抵抗素子１７０ａの抵抗値とコンデンサ１７０ｂの静電容量との積により変更することができる。
【００６１】
受信部１２９が受信した信号には、ノイズが含まれている場合がある。このノイズは、給湯システム１の内部に起因するもの、外部に起因するものがあり、様々な周波数を有している。
【００６２】
積分回路１７０は、これらのノイズを除去すると共に、制御信号を減衰することなく通過させることが好ましい。こうした積分回路１７０の特性は、直列ＲＣ回路の時定数を用いて調整することができる。従って、直列ＲＣ回路の時定数は、ノイズの周波数、制御信号のパルス幅等の条件によって適宜設定される。
【００６３】
例えば、給湯システムの通信部で用いる直列ＲＣ回路としては、直列ＲＣ回路の時定数を以下のように定めることができる。制御信号を減衰することなく通過させる観点からは、直列ＲＣ回路の時定数は、制御信号のパルス幅の１／１０以下とすることが好ましい。一方、制御信号に含まれるノイズを除去する観点からは、直列ＲＣ回路の時定数は、できるだけ大きくすることが好ましい。従って、直列ＲＣ回路の時定数は、制御信号のパルス幅の１／１０程度にすることが好ましい。
【００６４】
また、通信部１２０は、図３及び図４に示すように、受信部１２９と積分回路１７０との間に配置され、受信部１２９が受信した信号を入力し、入力した信号の極性を反転した信号を積分回路１７０の抵抗素子１７０ａに出力する第１の反転部１７０ｃを有している。
【００６５】
更に、通信部１２０は、図３及び図４に示すように、積分回路１７０と制御部１１０との間に配置され、積分回路１７０が出力した信号を入力し、入力した信号の極性を反転した信号を制御部１１０に出力する第２の反転部１７０ｅを有している。第２の反転部１７０ｂには、コンデンサ１７０ｂにおける電圧が出力される。
【００６６】
第１の反転部１７０ｃ及び第２の反転部１７０ｅそれぞれは、論理回路のＮＯＴゲートであり、入力信号の電圧が所定のしきい値を超えた時に、初めて極性を反転した信号を出力する。
【００６７】
通信線２０のインピーダンスは、電力線１０，１１等のインピーダンスと比べて高いので、本来は矩形形状を有する信号波形の角が丸くなる等して信号波形が崩れやすく、そのままでは、制御部１１０が受信した制御信号を正しく認識できない場合がある。そこで、本実施形態では、波形が崩れた信号を、第１の反転部１７０ｃ及び第２の反転部１７０ｅを用いて、信号波形を回復させている。
【００６８】
本実施形態の通信部１２０では、上記積分回路１７０、第１の反転部１７０ｃ、抵抗素子１７０ｄ及び第２の反転部１７０ｅにより、タンク機器２００から送信された制御信号を入力して、待機状態にある制御部１１０を動作状態に復帰させる信号を生成する動作復帰回路１８０が構成されている。図４は、図３の積分回路１７０を含む動作復帰回路１８０を拡大した図である。
【００６９】
動作復帰回路１８０は、受信部１２９から制御信号を入力して、積分回路１７０が起動信号を生成し、この信号を制御部１１０の割り込み信号の入力端子に出力する。
【００７０】
次に、通信電源部１４０について以下に説明する。通信電源部１４０は、ダイオード１４１、抵抗素子１４２、コンデンサ１４３、及びツェナーダイオード１４４を有している。
【００７１】
通信電源部１４０は、ダイオード１４１が、電力線１０から供給される交流電圧を半波整流して、整流電圧を抵抗素子１４２を通してツェナーダイオード１４４に出力する。ツェナーダイオード１４４は、半波整流された直流電圧を定電圧化し、ツェナーダイオード１４４に並列接続されたコンデンサ１４３は、半波整流された電圧を平滑して、抵抗素子１２３を通して送信部１２４に出力する。
【００７２】
次に、送信部１２４について以下に説明する。送信部１２４は、通信電源部１４０から電力の供給を受けて動作する。本実施形態では、送信部１２４が、半導体リレーを用いて構成されている。半導体リレーは、コイル及び可動接点を用いて構成された機械式リレーと比べて、小さな寸法で構成され、入力から出力までの遅延が少なく、ノイズが低減される。具体的には、送信部１２４は、通信電源部１４０から出力される通信電源部１４０の直流電圧に基づき、送信信号を通信電源部１４０の直流電圧に重畳して通信線２０を通して送信する送信フォトカプラである。送信部１２４は、発光ダイオード１２４ａ及びフォトトランジスタ１２４ｂを有している。送信部１２４は、制御部１１０により制御される。
【００７３】
抵抗素子１２３は送信部１２４を過電流から保護し、ダイオード１２５は送信部１２４を逆電圧から保護する。
【００７４】
次に、受信部１２９について以下に説明する。受信部１２９は、通信電源部１４０から電力の供給を受けて動作する。本実施形態では、受信部１２９が、半導体リレーを用いて構成されている。具体的には、受信部１２９は、通信電源部１４０の直流電圧に重畳されてなる送信信号を通信線２０を通して受信する受信フォトカプラである。受信部１２９は、発光ダイオード１２９ａ及びフォトトランジスタ１２９ｂを有している。受信部１２９は、制御部１１０により制御される。
【００７５】
ダイオード１２６は受信部１２９を逆電圧から保護し、抵抗素子１２７は受信部１２９を過電流から保護する。
【００７６】
タンク機器２００の通信部２２０は、通信電源部２４０、電力供給部２２１、抵抗素子２２２、抵抗素子２２３、送信部２２４、ダイオード２２５、ダイオード２２６、抵抗素子２２７、抵抗素子２２８、及び受信部２２９を有している。
【００７７】
タンク機器２００の通信部２２０は、図３に示すように、動作復帰回路を有していない点を除いて、上述したヒートポンプ機器１００の通信部１２０と同じ構成を有しており、ヒートポンプ機器１００の通信部１２０の説明は、タンク機器２００の通信部２２０に適宜適用される。
【００７８】
次に、上述した給湯システム１において、ヒートポンプ機器１００及びタンク機器２００間における通信を、タンク機器２００からヒートポンプ機器１００へ送信を行なう場合を例にして、図３〜図６を参照して以下に説明する。
【００７９】
ここで、図５（ａ）は、タンク機器２００がヒートポンプ機器１００へ送信する制御信号のタイミング図であり、図５（ｂ）は、第１の反転部１７０ｃの出力信号のタイミング図であり、図５（ｃ）は、積分回路１７０の出力信号のタイミング図であり、図５（ｄ）は、第２の反転部１７０ｅの出力信号のタイミング図である。図５（ａ）〜（ｄ）では、縦方向は信号の電圧の大きさを示し、横方向は時間を示している。
【００８０】
まず、タンク機器２００は、ヒートポンプ機器１００へデータ信号の送信を行なう前に、制御信号をヒートポンプ機器１００へ送信する。これは、ヒートポンプ機器１００の制御部１１０が待機状態にある場合には、動作状態へ移行させる必要があるためである。
【００８１】
ヒートポンプ機器１００の受信部１２９に受信される信号は、タンク機器２００からの送信がない場合には、電圧は常時Ｈｉｇｈレベルにある。そこで、本実施形態では、制御信号として、所定のパルス幅を有し、電圧がＬｏｗレベルのパルス信号を用いる。
【００８２】
タンク機器２００の制御部２１０が、送信部２２４を用いて、図５（ａ）に示す制御信号をヒートポンプ機器１００へ出力する。
【００８３】
ここで、制御部２１０は、発光ダイオード２２４ａに送信する制御信号としてパルス信号を出力すると、発光ダイオード２２４ａには、機器電源部２５０から抵抗素子２２２を通して電流が流れ込むので、発光ダイオード２２４ａがフォトトランジスタ２２４ｂに赤外線を出力する。このため、フォトトランジスタ２２４ｂが赤外線に基づき導通する。
【００８４】
そして、フォトトランジスタ２２４ｂは、通信電源部２４０から供給される直流電圧に基づき、パルス信号を、ダイオード２２５及び通信線２０を通して、ヒートポンプ機器１００の通信部１２０に送る。
【００８５】
このことにより、送信部２２４が、通信電源部２４０から供給される直流電圧に基づき、パルス信号を通信電源部２４０の電源電圧に重畳して、通信線２０を通してヒートポンプ機器１００の通信部１２０に送信することになる。
【００８６】
ヒートポンプ機器１００の通信部１２０では、タンク機器２００から送信された制御信号であるパルス信号が、ダイオード１２６、抵抗素子１２７を通して受信部１２９に受信される。
【００８７】
受信部１２９では、タンク機器２００の通信部２２０が送信した制御信号としてのパルス信号が、発光ダイオード１２９ａに入力すると、発光ダイオード１２９ａがパルス信号に基づき赤外線をフォトトランジスタ１２９ｂに出力する。すると、フォトトランジスタ１２９ｂが導通するので、機器電源部１５０から抵抗素子１２８を通して出力される直流電圧に基づいて、フォトトランジスタ１２９ｂのコレクタ端子からパルス信号が動作復帰回路１８０に出力される。フォトトランジスタ１２９ｂのコレクタ端子に接続されている抵抗素子１２８には、常に機器電源部１５０により直流電圧が供給されている。
【００８８】
動作復帰回路１８０では、制御信号を入力した第１の反転部１７０ｃが、図５（ｂ）に示す信号を、積分回路１７０の抵抗素子１７０ａに出力する。
【００８９】
図５（ｂ）に示す信号を入力した積分回路１７０では、図５（ｃ）に示すように、コンデンサ１７０における電圧が、Ｌｏｗレベルから時間の経過と共に増加してゆく。この電圧の変化は、時定数が小さい程急激に増加し、時定数が大きい程緩やかに増加する。積分回路１７０は、コンデンサ１７０ｂにおける電圧を信号として、第２の反転部１７０ｅに出力する。
【００９０】
制御信号は、制御信号を入力した積分回路１７０に対して、待機状態にある制御部１１０を動作状態へ移行させる起動信号を発生させる長さのパルス幅を有している。従って、コンデンサ１７０ｂにおける電圧は、第２の反転部１７０ｅの所定のしきい値Ｖｔｈを超えて増加していく。上記起動信号は、積分回路１７０の出力する電圧の値が、第２の反転部１７０ｅにおける所定のしきい値Ｖｔｈを超えた時の出力信号である。
【００９１】
このように、積分回路１７０は、制御信号が入力された時に、待機状態にある制御部１１０を動作状態へ移行させる起動信号を発生する。
【００９２】
第２の反転部１７０ｅは、入力する信号の電圧が所定のしきい値Ｖｔｈを超えた時に、即ち積分回路１７０が起動信号を出力した時に、図５（ｄ）に示すように、入力した信号の極性を反転したパルス信号を制御部１１０の割り込み信号の入力端子に出力する。
【００９３】
待機状態にある制御部１１０は、割り込み信号の入力端子に、図５（ｄ）に示す信号、即ち、起動信号に対応してＨｉｇｈレベルからＬＯＷレベルへと変化する信号又はＬｏｗレベル信号を入力すると、待機状態から動作状態へ移行する。
【００９４】
なお、動作状態にある制御部１１０は、図５（ｄ）に示す信号を入力しても、動作状態が維持される。
【００９５】
積分回路１７０は、図５（ｃ）に示すように、制御信号の入力が終了すると、コンデンサ１７０ｂに蓄積された電荷が、放電用の抵抗素子１７０ｄを通して放電されるので、コンデンサ１７０における電圧は、Ｌｏｗレベルに戻る。
【００９６】
なお、受信部１２９が受信した制御信号は、制御部１１０の割り込み信号の入力端子ではない、データ信号用の入力端子にも出力されるが、待機状態にある制御部１１０は光軸の信号を処理することはない。
【００９７】
タンク機器２００は、上述したように、制御信号をヒートポンプ機器１００へ送信した後に、データ信号をヒートポンプ機器１００へ送信する。以下、動作復帰回路１８０が、タンク機器２００から受信したデータ信号に対して行う処理を、図６を用いて説明する。
【００９８】
図６（ａ）は、タンク機器２００がヒートポンプ機器１００へ送信するデータ信号のタイミング図であり、図６（ｂ）は、第１の反転部１７０ｃの出力信号のタイミング図であり、図６（ｃ）は、積分回路１７０の出力信号のタイミング図であり、図６（ｄ）は、第２の反転部１７０ｅの出力信号のタイミング図である。図６（ａ）〜（ｄ）では、縦方向は信号の電圧の大きさを示し、横方向は時間を示している。
【００９９】
タンク機器２００の制御部２１０は、送信部２２４を用いて、通信電源部２４０から供給される直流電圧に基づき、図６（ａ）に示すパルス信号を通信電源部２４０の電源電圧に重畳して、通信線２０を通してヒートポンプ機器１００の通信部１２０に送信する。
【０１００】
ここで、タンク機器２００がヒートポンプ機器１００へ送信するデータ信号が有するパルス幅は、制御信号のパルス幅よりも短い。具体的には、データ信号のパルス幅は、制御信号のパルス幅の１０〜５０％であることが、動作復帰回路１８０が制御信号とデータ信号とを確実に区別する上で好ましい。
【０１０１】
ヒートポンプ機器１００の通信部１２０では、タンク機器２００から送信されたデータ信号であるパルス信号が、ダイオード１２６、抵抗素子１２７を通して受信部１２９に受信される。
【０１０２】
受信部１２９が受信したデータ信号は、制御部１１０の割り込み信号の入力端子ではない、データ信号用の入力端子に出力されて、動作状態にある制御部１１０によって処理される。
【０１０３】
また、受信部１２９が受信したデータ信号は、動作復帰回路１８０にも入力される。動作復帰回路１８０では、データ信号を入力した第１の反転部１７０ｃは、図６（ｂ）に示す信号を、積分回路１７０の抵抗素子１７０ａに出力する。
【０１０４】
積分回路１７０では、図６（ｃ）に示すように、コンデンサ１７０における電圧が、Ｌｏｗレベルから時間の経過と共に増加してゆく。積分回路１７０は、コンデンサ１７０における電圧を信号として、第２の反転部１７０ｅに出力する。データ信号のパルス幅は、制御信号のパルス幅よりも小さく、データ信号は、データ信号を入力した積分回路１７０に対して、待機状態にある制御部１１０を動作状態へ移行させる起動信号を発生させる長さのパルス幅を有していない。従って、コンデンサ１７０における電圧が、第２の反転部１７０ｅの所定のしきい値Ｖｔｈを超えることはない。
【０１０５】
第２の反転部１７０ｅは、入力する信号の電圧が、所定のしきい値Ｖｔｈを超えないので、図６（ｄ）に示すように、Ｌｏｗレベルの入力信号の極性を反転したＨｉｇｈレベルの信号を制御部１１０の割り込み信号の入力端子に出力し続ける。
【０１０６】
従って、ヒートポンプ機器１００は、データ信号を受信している状態では、制御部１１０の割り込み信号の入力端子にＬｏｗレベルの信号が入力されることはない。
【０１０７】
ヒートポンプ機器１００の制御部１１０は、タンク機器２００からのデータ信号の受信が終了し、且つヒートポンプ機器１００の各部の動作を制御しない状態が所定の時間が経過すると、動作状態から待機状態へ移行する。
【０１０８】
また、給湯システム１において、ヒートポンプ機器１００からタンク機器２００へ送信を行なう場合の各部の動作は、制御信号を送信しない点を除いて、タンク機器２００からヒートポンプ機器１００へ送信する動作と同じであるので、上述した説明が適宜適用される。
【０１０９】
上述した本実施形態の給湯システム１は、積分回路１７０を含む動作復帰回路１８０を有しているので、待機状態にある制御部１１０を動作状態へ移行させる制御信号と、ヒートポンプ機器１００及びタンク機器２００間で通信されるデータ信号とを、同一の通信線を用いて受信することができる。ヒートポンプ機器１００は、制御信号を入力することにより、制御部１１０を待機状態から動作状態へ移行することができる。従って、新たな起動手段等を設けることなく、待機状態にある制御部１１０を迅速に動作状態に復帰させることができる。そして、制御部１１０を待機状態にしておくことで、給湯システム１の消費電力を低減できる。
【０１１０】
また、給湯システム１は、第１の反転部１７０ｃ及び第２の反転部１７０ｅを有しているので、波形が崩れた制御信号の波形を回復し、且つ制御信号とデータ信号とを区別して、制御信号のみを制御部１１０に入力することができる。
【０１１１】
また、給湯システム１は、積分回路１７０が直列ＲＣ回路を有しているので、抵抗値又は静電容量を適宜設定して時定数を調節することにより、制御信号とデータ信号とを確実に区別することができる。
【０１１２】
また、給湯システム１は、直列ＲＣ回路の時定数が、制御信号のパルス幅よりも小さいので、積分回路１７０は制御信号を減衰することなく通過させることができる。
【０１１３】
また、給湯システム１は、受信部１２９が、制御信号を受信した後にデータ信号を受信するので、制御部１１０を動作状態にした状態でデータ信号の受信が行なえる。
【０１１４】
更に、給湯システム１は、送信部１２４、２２４及び受信部１２９、２２９として、半導体リレーを用いているので、小さな寸法で構成され、遅延及びノイズが低減された送受信ができる。特に、給湯システム１は、半導体リレーとしてフォトカプラを用いているので、送信部１２４、２４４及び受信部１２９、２２９それぞれにおいて、入力側と出力側を確実に絶縁することができる。この構成は、ヒートポンプ機器１００とタンク機器２００間に電位差を有する場合には、特に有効である。
【０１１５】
本発明では、上述した受信装置、通信システム、及び機器システムは、本発明の趣旨を逸脱しない限り適宜変更が可能である。例えば、上述した第１実施形態では、機器システムが、ヒートポンプ機器及びタンク機器を有する給湯システムを用いて説明されていたが、本発明に係る機器システムは、室内機及び室外機を有する空調システムであっても良い。
【０１１６】
また、上述した実施形態では、動作復帰回路がヒートポンプ機器１００に設けられていたが、動作復帰回路は、タンク機器２００に設けられていても良い。
【０１１７】
また、上述した第１実施形態では、送信部及び受信部としてフォトカプラを用いていたが、送信部及び受信部としてＭＯＳＦＥＴリレーを用いても良い。
【０１１８】
更に、上述した第１実施形態では、制御部１１０が、通信部１２０とは別に設けられていたが、制御部を通信部１２０の一部として、通信部１２０が制御部を有していても良い。
【０１１９】
次に、上述した第１実施形態の変形例１〜３の給湯システムを、図７〜９を参照しながら以下に説明する。変形例について特に説明しない点については、上述の第１実施形態に関して詳述した説明が適宜適用される。また、同一の構成要素には同一の符号を付してある。
【０１２０】
図７は、変形例１の給湯システムの動作復帰回路１８１を示す図である。
【０１２１】
変形例１では、動作復帰回路１８１が、上述した第１実施形態とは異なり、第１及び第２の反転部を有していない。変形例１では、動作復帰回路１８１が、図７に示すように、積分回路１７０及び抵抗素子１７０ｄにより構成されている。
【０１２２】
積分回路１７０は、制御信号が入力されていない状態では、Ｈｉｇｈレベルの電圧が入力され続けるので、コンデンサ１７０ｂには電荷が蓄積された状態が維持されるため、Ｈｉｇｈレベルの信号を制御部１１０へ出力している。
【０１２３】
Ｌｏｗレベルのパルス信号である制御信号が積分回路１７０に入力すると、コンデンサ１７０ｂに蓄積された電荷が、抵抗素子１７０ｄを通して放電される。この時、積分回路１７０の出力信号は、ＨｉｇｈレベルからＬｏｗレベルへと変化し、その後、制御信号が止まるまでの間Ｌｏｗレベルの状態が続く。この信号が、待機状態にある制御部１１０を動作状態へ移行させる起動信号となる。
【０１２４】
従って、変形例１の動作復帰回路１８１では、受信部１２９から制御信号を入力してから、動作復帰回路１８１から制御部１１０の割り込み信号の入力端子に起動信号を出力するまでの応答時間が、コンデンサ１７０ｄの電荷を放電する抵抗素子１７０ｄの抵抗値に依存する。
【０１２５】
上述した変形例１の給湯システムによれば、動作復帰回路１８１が簡易な回路構成を有しているので、製造コスト及び通信部の実装面積を削減できる。
【０１２６】
図８は、変形例２の給湯システムの動作復帰回路１８２を示す図である。
【０１２７】
変形例２では、動作復帰回路１８２が、上述した第１実施形態とは異なり、第２の反転部を有していない。変形例２は、図８に示すように、積分回路１７０と制御部１１０との間に配置され、積分回路１７０が出力した信号を入力し、入力した信号の値と所定の基準値とを比較した結果を、出力信号として制御部１１０に出力する比較器１７０ｇと、抵抗素子１７０ｅと、抵抗素子１７０ｆとを有している。
【０１２８】
比較器１７０ｇは、２つの入力端子を有している。一方の入力端子（＋）には、抵抗素子１７０ｅを通して、機器電源部１５０から直流電圧が供給されており、この電圧を上記所定の基準値とする。また、比較器１７０ｇの他方の入力端子（ー）には、積分回路１７０からコンデンサ１７０ｂにおける電圧が入力される。また、比較器１７０ｇには、図示しないが、機器電源部１５０から直流電力が供給されている。
【０１２９】
一方の入力端子（＋）に入力する所定の基準値の電圧は、抵抗素子１７０ｅ又は抵抗素子１７０ｆの抵抗値を適宜調整して変更できる。
【０１３０】
比較器１７０ｇは、一方の入力端子（＋）から入力する所定の基準値と、他方の入力端子（ー）から入力する積分回路１７０からの出力信号の電圧とを比較して、他方の入力端子（ー）の入力値の方が、一方の入力端子（＋）の入力値よりも大きいと、Ｌｏｗレベルの信号を出力する。また、比較器１７０ｇは、他方の入力端子（ー）の入力値の方が、一方の入力端子（＋）の入力値よりも小さいと、Ｈｉｇｈレベルの信号を出力する。
【０１３１】
比較器１７０ｇが一方の入力端子（＋）から入力する所定の基準値は、積分回路１７０が生成する起動信号の大きさに対応する。
【０１３２】
上述した変形例２によれば、比較器１７０ｇを有しているので、制御信号を入力した動作復帰回路１８２が制御部１１０にＬｏｗレベルの信号を出力するまでの応答時間を短くすることができる。また、抵抗素子１７０ｅの抵抗値を変更することにより、この応答時間を調整することが容易にできる。
【０１３３】
図９は、変形例３の給湯システムの動作復帰回路１８３を示す図である。
【０１３４】
変形例３では、上述した第１実施形態とは異なり、動作復帰回路１８３が第２の反転部を有していない。変形例３は、図９に示すように、積分回路１７０と制御部１１０との間に配置され、積分回路１７０が出力した信号を入力し、入力した信号の値と所定の基準値とを比較した結果を、出力信号として制御部１１０に出力する比較器１７０ｇを有している。また、動作復帰回路１８３は、抵抗素子１７０ｅと、抵抗素子１７０ｆと、抵抗素子１７０ｈと、抵抗素子１７０ｉとを有している。
【０１３５】
比較器１７０ｇは、上述した変形例２と同じ構成を有している。
【０１３６】
比較器１７０ｇの一方の入力端子（＋）には、抵抗素子１７０ｈ及び抵抗素子１７０ｅを通して、機器電源部１５０から直流電圧が供給されている。また、比較器１７０ｇの出力端子と一方の入力端子（＋）とが、抵抗素子１７０ｉを通して接続されており、正帰還がかけられている。
【０１３７】
上述した構成を有する動作復帰回路１８３の比較器１７０ｇは、ヒステリシスを有している。従って、制御信号がハンチングを有している場合に、積分回路１７０から比較器１７０ｇの他方の入力端子（ー）に入力する信号がハンチングしても、ヒステリシスの範囲内であれば、比較器１７０ｇが制御部１１０へ制御信号に応答する信号を出力しない。
【０１３８】
このヒステリシスの範囲は、上記所定の基準値の電圧に対して、５〜１０％とすることが、制御信号へのハンチングの影響を除去する上で好ましい。
【０１３９】
このヒステリシスの範囲は、抵抗素子１７０ｈ又は抵抗素子１７０ｉの抵抗値を適宜調整して変更できる。
【０１４０】
積分回路１７０が生成する起動信号の大きさは、一方の入力端子（＋）から入力する所定の基準値に対して、ヒステリシスを加味した値が対応する。
【０１４１】
変形例３の動作復帰回路１８３のその他の構成は、上述した変形例２と同様である。
【０１４２】
上述した変形例３によれば、比較器１７０ｇがヒステリシスを有しているので、制御信号へのハンチングの影響を除去することができる。また、上記変形例３と同様の効果が奏される。
【０１４３】
次に、本発明に係る第２実施形態の機器システムについて以下に説明する。図１０は、第２実施形態の機器システム２を示す図である。
【０１４４】
機器システム２は、複数の電気機器１００ａ、１００ｂ、・・・１００ｎと、２本の電力線１０，１１と、電力線１０，１１に並列して配設された通信線２０と、複数の電気機器１００ａ、１００ｂ、・・・１００ｎそれぞれに設けられており、通信線２０を通して通信するための複数の通信部１２０ａ、１２０ｂ、・・・１２０ｎ、及びこの通信部１２０ａ、１２０ｂ、・・・１２０ｎを制御する制御部１１０ａ、１１０ｂ、・・・１１０ｎと、を備えている。
【０１４５】
複数の電気機器１００ａ、１００ｂ、・・・１００ｎそれぞれは、２本の電力線１０，１１に並列に接続されている。また、複数の電気機器１００ａ、１００ｂ、・・・１００ｎそれぞれは、通信線２０に並列に接続されている。
【０１４６】
電気機器１００ａの通信部１２０ａは、上述した第１実施形態の給湯システムにおけるタンク機器の通信部と同じ構成を有している。また、複数の通信部１２０ｂ、・・・１２０ｎは、上述した第１実施形態の給湯システムにおけるヒートポンプ機器の通信部と同じ構成を有している。なお、複数の通信部の中の少なくとも一つが、第１実施形態の給湯システムにおけるヒートポンプ機器の通信部と同じ構成を有していれば良い。
【０１４７】
複数の電気機器１００ｂ、・・・１００ｎそれぞれの制御部１１０ｂ、・・・１１０ｎは、各部の制御を行なわない場合には、動作状態から待機状態に移行する。
【０１４８】
電気機器１００ａの通信部１２０ａは、複数の電気機器１００ｂ、・・・１００ｎのそれぞれに対して、制御信号を送信した後、データ信号を送信する。即ち、複数の電気機器１００ｂ、・・・１００ｎのそれぞれの受信部は、制御信号を受信した後に、データ信号を受信する。
【０１４９】
上述した機器システム２によれば、複数の電気機器１００ｂ、・・・１００ｎそれぞれの制御部１１０ｂ、・・・１１０ｎは、各部の制御を行なわない場合には、動作状態から待機状態に移行するので、機器システム２全体としての消費電力を大きく低減できる。
【図面の簡単な説明】
【０１５０】
【図１】従来の機器システムを説明する図である。
【図２】本発明に係る機器システムの第１実施形態のシステム構成図である。
【図３】図２の通信部を説明する図である。
【図４】図３の動作復帰回路を拡大した図である。
【図５】図３の動作復帰回路で制御信号を処理する場合のタイミング図である。
【図６】図３の動作復帰回路でデータ信号を処理する場合のタイミング図である。
【図７】図３の変形例を示す図である。
【図８】図３の他の変形例を示す図である。
【図９】図３の更に他の変形例を示す図である。
【図１０】図２の他の実施形態を示す図である。
【符号の説明】
【０１５１】
１    給湯システム（機器システム）
１０、１１    電力線
２０    通信線
１００    ヒートポンプ機器（電気機器）
１１０    制御部
１２０    通信部
１２４    送信部
１２９    受信部
１４０    通信電源部
１７０    積分回路
１８０    動作復帰回路
２００    タンク機器（電気機器）
２１０    制御部
２２０    通信部
２２４    送信部
２２９    受信部
２４０    通信電源部
【図１】
2009296166.tif 000003
【図２】
2009296166.tif 000004
【図３】
2009296166.tif 000005
【図４】
2009296166.tif 000006
【図５】
2009296166.tif 000007
【図６】
2009296166.tif 000008
【図７】
2009296166.tif 000009
【図８】
2009296166.tif 000010
【図９】
2009296166.tif 000011
【図１０】
2009296166.tif 000012